(57)【要約】【課題】  位置関連コンテンツを提供するサーバが、指定した位置情報取得方法で取得された現在位置の情報を移動体通信端末から受信し、その現在位置の位置精度との整合がとれた内容の位置関連コンテンツを移動体通信端末に提供できるコンテンツ提供方法、サーバ及び移動体通信端末を提供する。【解決手段】  サーバ４０は、移動体通信端末１０で用いられる位置情報送信用コンテンツの送信先情報記述部に、移動体通信端末１０における位置情報取得方法を指定する取得方法指定情報を書き込み、その取得方法指定情報が書き込まれた送信先情報記述部を含む位置情報送信用コンテンツを移動体通信端末１０に送信する。サーバは、上記取得方法指定情報で指定された位置情報取得方法を用いて取得した移動体通信端末１０の現在位置の情報を、その移動体通信端末１０から受信する。【選択図】  図８
2006155508.tif 000002
【特許請求の範囲】
【請求項１】
通信ネットワーク上のサーバから移動体通信端末に、該移動体通信端末の現在位置に関連した位置関連コンテンツを提供するコンテンツ提供方法であって、
上記サーバが、上記移動体通信端末で用いられる位置情報送信用コンテンツの送信先情報記述部に、該移動体通信端末における位置情報取得方法を指定する取得方法指定情報を書き込むステップと、
上記サーバが、上記取得方法指定情報が書き込まれた上記送信先情報記述部を含む位置情報送信用コンテンツを、上記移動体通信端末に送信するステップと、
上記サーバが、上記取得方法指定情報で指定された位置情報取得方法を用いて取得した上記移動体通信端末の現在位置の情報を、該移動体通信端末から受信するステップと
を含むことを特徴とするコンテンツ提供方法。
【請求項２】
請求項１のコンテンツ提供方法において、
上記位置情報送信用コンテンツは、ＷＥＢページのデータであり、
上記送信先情報記述部は、上記現在位置の情報を送信する送信先のＵＲＬ（Uniform Resource Locator）が記述されるＵＲＬ記述部であり、
上記取得方法指定情報は、上記現在位置の情報の送信処理を指定するスキーム名に対するパラメータのデータであることを特徴とするコンテンツ提供方法。
【請求項３】
通信ネットワークを介して移動体通信端末に、該移動体通信端末の現在位置に関連した位置関連コンテンツを提供するコンテンツ提供用のサーバであって、
上記移動体通信端末で用いられる位置情報送信用コンテンツの送信先情報記述部に、該移動体通信端末における位置情報取得方法を指定する取得方法指定情報を書き込む情報書き込み手段と、
上記取得方法指定情報が書き込まれた上記送信先情報記述部を含む位置情報送信用コンテンツを、上記移動体通信端末に送信する位置情報送信用コンテンツ送信手段と、
上記取得方法指定情報で指定された位置情報取得方法を用いて取得した上記移動体通信端末の現在位置の情報を、該移動体通信端末から受信する現在位置情報受信手段と
を備えたことを特徴とするコンテンツ提供用のサーバ。
【請求項４】
通信ネットワークを介してコンテンツ提供用のサーバと通信可能な移動体通信端末であって、
現在位置の情報を送信するときに用いる位置情報送信用コンテンツを、上記サーバから受信する位置情報送信用コンテンツ受信手段と、
位置情報取得方法を指定する取得方法指定情報を、上記位置情報送信用コンテンツに含まれる送信先情報記述部から読み出す情報読み出し手段と、
上記送信先情報記述部から読み出した取得方法指定情報で指定された位置情報取得方法を用いて、当該移動体通信端末の現在位置の情報を取得する現在位置情報取得手段と、
上記指定の位置情報取得方法で取得した当該移動体通信端末の現在位置の情報を、上記サーバに送信する現在位置情報送信手段と
を備えたことを特徴とする移動体通信端末。
【発明の詳細な説明】
【技術分野】
【０００１】
本発明は、携帯電話機等の移動体通信端末の現在位置に関連した位置関連コンテンツを移動体通信端末に送信するコンテンツ提供方法、並びにその方法に用いることができるサーバ及び移動体通信端末に関するものである。
【背景技術】
【０００２】
従来、この種の移動体通信端末として、利用者が持って様々な場所に移動するときに、その移動体通信端末の現在位置の情報を取得する機能を有するものが知られている。この現在位置の情報を取得する位置情報取得方法としては、全地球測位システム（ＧＰＳ：Global Positioning System）の人工衛星から電波を受信し該電波の受信結果に基づいて現在位置の情報を取得する方法や、移動体通信端末が在圏する通信管理エリアに関するエリア位置情報を現在位置の情報として取得する方法等がある。
また、このような現在位置の情報を取得する機能を有する移動体通信端末に対して、通信ネットワーク上のサーバから地図情報やタウン情報等の位置関連コンテンツを送信して提供するコンテンツ提供方法が知られている（例えば、非特許文献１参照）。このコンテンツ提供方法では、移動体通信端末が、その現在位置の情報を取得して通信ネットワーク上のサーバに送信する。サーバは、移動体通信端末から受信した現在位置の情報に基づいて、その現在位置に対応した地図情報等の位置関連コンテンツを移動体通信端末に送信する。
【特許文献１】モバイルオフィス推進協議会「モバイルツール向け位置情報ＵＲＬ規格書  ＭＯＰＡ−００１−２００１」平成１３年３月改訂
【発明の開示】
【発明が解決しようとする課題】
【０００３】
上記従来のコンテンツ提供方法では、移動体通信端末から受信する現在位置の情報の精度とサーバから提供対象の位置関連コンテンツの内容とが整合しない場合があった。例えば、提供対象のコンテンツが所定縮尺の地図情報であるとき、移動体通信端末から受信した現在位置の情報の精度が低すぎると、移動体通信端末の実際の現在位置が移動体通信端末に提供される地図の中心部にならなかったり地図の範囲から外れてしまったりするおそれがある。
また、最近の移動体通信端末の機能や性能の向上により、現在位置の情報を取得する機能として、前述のエリア位置情報を取得する方法やＧＰＳ位置情報を取得する方法等の複数の位置情報取得方法を用いることができるものが登場してきている。このように移動体通信端末が複数の位置情報取得方法を用いることができる場合、上記サーバは、移動体通信端末における位置情報取得方法を指定できると、その現在位置の位置精度との整合がとれた内容の位置関連コンテンツを移動体通信端末に提供できるようになる。
【０００４】
本発明は以上の問題点に鑑みなされたものであり、その目的は、位置関連コンテンツを提供するサーバが、指定した位置情報取得方法で取得された現在位置の情報を移動体通信端末から受信し、その現在位置の位置精度との整合がとれた内容の位置関連コンテンツを移動体通信端末に提供できるコンテンツ提供方法、サーバ及び移動体通信端末を提供することである。
【課題を解決するための手段】
【０００５】
上記目的を達成するために、請求項１の発明は、通信ネットワーク上のサーバから移動体通信端末に、該移動体通信端末の現在位置に関連した位置関連コンテンツを提供するコンテンツ提供方法であって、上記サーバが、上記移動体通信端末から現在位置の情報を送信するときに用いる位置情報送信用コンテンツに含まれる送信先情報記述部に、該移動体通信端末における位置情報取得方法を指定する取得方法指定情報を書き込むステップと、上記サーバが、上記取得方法指定情報が書き込まれた上記送信先情報記述部を含む位置情報送信用コンテンツを、上記移動体通信端末に送信するステップと、上記サーバが、上記取得方法指定情報で指定された位置情報取得方法を用いて取得した上記移動体通信端末の現在位置の情報を、該移動体通信端末から受信するステップと、上記サーバが、上記移動体通信端末の現在位置の情報に基づいて、その現在位置に関連した位置関連コンテンツを該移動体通信端末に送信するステップとを含むことを特徴とするものである。
また、請求項２の発明は、請求項１のコンテンツ提供方法において、上記位置情報送信用コンテンツは、ＷＥＢページのデータであり、上記送信先情報記述部は、上記現在位置の情報を送信する送信先のＵＲＬ（UniformResourceLocator）が記述されるＵＲＬ記述部であり、上記取得方法指定情報は、上記現在位置の情報の送信処理を指定するスキーム名に対するパラメータのデータであることを特徴とするものである。
また、請求項３の発明は、通信ネットワークを介して移動体通信端末に、該移動体通信端末の現在位置に関連した位置関連コンテンツを提供するコンテンツ提供用のサーバであって、上記移動体通信端末から現在位置の情報を送信するときに用いる位置情報送信用コンテンツに含まれる送信先情報記述部に、該移動体通信端末における位置情報取得方法を指定する取得方法指定情報を書き込む情報書き込み手段と、上記取得方法指定情報が書き込まれた上記送信先情報記述部を含む位置情報送信用コンテンツを、上記移動体通信端末に送信する位置情報送信用コンテンツ送信手段と、上記取得方法指定情報で指定された位置情報取得方法を用いて取得した上記移動体通信端末の現在位置の情報を、該移動体通信端末から受信する現在位置情報受信手段と、提供対象の位置関連コンテンツを記憶するコンテンツ記憶手段と、上記移動体通信端末の現在位置の情報に基づいて、その現在位置に関連した位置関連コンテンツを上記コンテンツ記憶手段から読み出して該移動体通信端末に送信する位置関連コンテンツ送信手段とを備えたことを特徴とするものである。
また、請求項４の発明は、通信ネットワークを介してコンテンツ提供用のサーバと通信可能な移動体通信端末であって、現在位置の情報を送信するときに用いる位置情報送信用コンテンツを、上記サーバから受信する位置情報送信用コンテンツ受信手段と、位置情報取得方法を指定する取得方法指定情報を、上記位置情報送信用コンテンツに含まれる送信先情報記述部から読み出す情報読み出し手段と、上記送信先情報記述部から読み出した取得方法指定情報で指定された位置情報取得方法を用いて、当該移動体通信端末の現在位置の情報を取得する現在位置情報取得手段と、上記指定の位置情報取得方法で取得した当該移動体通信端末の現在位置の情報を、上記サーバに送信する現在位置情報送信手段と、上記現在位置の情報に基づいて上記サーバから送信された該現在位置に関連した位置関連コンテンツを、該サーバから受信する位置関連コンテンツ受信手段とを備えたことを特徴とするものである。
上記請求項３のサーバ及び請求項４の移動体通信端末において、上記位置情報送信用コンテンツはＷＥＢページのデータであってもよい。この場合は、上記送信先情報記述部は、上記現在位置の情報を送信する送信先のＵＲＬ（UniformResourceLocator）が記述されるＵＲＬ記述部である。そして、上記取得方法指定情報は、上記現在位置の情報の送信処理を指定するスキーム名に対するパラメータのデータであるのが好ましい。
【０００６】
なお、上記「コンテンツ」としては、ＷＥＢページのデータのほか、画像ファイル、音楽ファイル、プログラムファイル等の各種ファイル、及び画像や音楽などのストリーミングデータが挙げられる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末やサーバにおける制御や情報処理は、その移動体通信端末及びサーバそれぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【０００７】
請求項１乃至４の発明によれば、通信ネットワーク上のサーバは、移動体通信端末における位置情報取得方法を指定する取得方法指定情報が書き込まれた送信先情報記述部を含む位置情報送信用コンテンツを移動体通信端末に送信する。移動体通信端末は、位置情報送信用コンテンツの送信先情報記述部に書き込まれた取得方法指定情報を読み出し、その取得方法指定情報で指定された位置情報取得方法を用いて現在位置の情報を取得する。このように上記サーバが位置情報送信用コンテンツの送信先情報記述部に取得方法指定情報を書き込むことにより、上記サーバは、移動体通信端末における位置情報取得方法を指定することができる。
しかも、上記サーバは、位置精度が予めわかっている上記指定の位置情報取得方法で取得した移動体通信端末の現在位置の情報を受信できるので、その現在位置の位置精度との整合がとれた内容の位置関連コンテンツを移動体通信端末に送信して提供できるという効果がある。
【発明を実施するための最良の形態】
【０００８】
以下、図面を参照して本発明の実施の形態について説明する。
図１は本実施形態に係る通信システム全体の概略構成の一例を示す説明図である。この通信システムは、移動体通信端末としての携帯電話機１０と、通信ネットワークとしての携帯電話通信網２０とを用いて構成されている。携帯電話通信網２０は、基地局２１と、コアネットワーク２２と、ＩＰ（Internet Protocol）ネットワーク２３とを備えている。
【０００９】
上記基地局２１は、管轄対象のセルごとに設けられ、携帯電話通信網２０内の有線回線からのデータを無線インタフェースに合うデータフォーマットに変換し、管轄対象のセル内にある携帯電話機１０に無線周波数で送信する。逆に無線周波数で送信される携帯電話機１０からのデータを受信して有線インタフェースに合うデータフォーマットに変換し、携帯電話通信網２０内の有線回線部分に転送する。
【００１０】
上記コアネットワーク２２は、図示しない位置登録データベース（ＨＬＲ，ＶＬＲ）、加入者データベース、課金システム等を有し、各携帯電話機間の通信等を中継するように通信制御を行う。更に、コアネットワーク２２は、各携帯電話機と、携帯電話通信網２０内の構成要素との間における通信を中継するように通信制御を行う。また、コアネットワーク２２は、各携帯電話機と他の通信ネットワークとの間における通信を中継するように通信制御を行う。
また、コアネットワーク２２は、回線交換網のほかパケット交換網を有している。このパケット交換網は、ＳＧＳＮ（Serving GPRS Support Node）２４やＧＧＳＮ（Gateway GPRS Support Node）２５等のノードを有している。ＳＧＳＮ２４は、基地局２１が接続されている図示しない無線ネットワークコントローラとコアネットワーク２２側のパケット交換網との間のゲートウェイ機能と、各携帯電話機１０の位置管理、セキュリティ管理及びアクセス制御を行う機能とを有している。また、ＧＧＳＮ２５は、コアネットワーク２２側のパケット交換網と、ＩＰネットワーク２３との間のゲートウェイ機能を有している。
【００１１】
また、上記コアネットワーク２２には位置登録サーバ６０や情報提供（配信）サーバ７０が接続されている。これらの位置登録サーバ６０や情報提供サーバ７０により、携帯電話機１０は、現在位置の情報として、その携帯電話機１０が在圏する通信管理エリアに関するエリア位置情報を受信して取得することができる。このエリア位置情報としては、基地局２１が管轄するセルを識別するためのセルＩＤ、基地局２１の住所、基地局２１の識別情報等が挙げられる。
【００１２】
上記位置登録サーバ６０は、各携帯電話機１０の位置している現在位置の情報すなわち各携帯電話機１０が位置している管理エリアの位置情報を登録して管理するサーバである。この管理エリアは、各携帯電話機と無線通信する基地局２１が管轄する一つのセルからなるエリアであっていいし、隣接する複数のセルを一つのグループとして管理されるエリアであってもよい。一つの管理エリアの典型的なサイズは数ｋｍ〜数百ｍである。上記位置登録サーバ６０に対する各携帯電話機１０の位置登録は、電源ＯＮ時に、定期的に、及び携帯電話機１０が位置するセルが変わるたびに行われる。
【００１３】
上記情報提供サーバ７０は、各管理エリアの基地局２１から所定の通信チャンネルによって地域情報、該当する管理エリアの位置情報（緯度、経度、住所）、コンテンツ情報等の各種情報を配信する。このように各種情報が送信されている通信チャンネルについて、携帯電話機１０が所定のタイミングで受信動作を実行することにより、その通信チャンネルで送信されている情報を取得し内部メモリーに保存することができる。各通信チャンネルに対する受信動作は、予め初期設定で設定されているタイミングや、利用者が設定したタイミングで実行することができる。この受信動作は定期的に実行してもいいし、不定期に実行してもよい。
特に、管理エリアの位置情報が配信される通信チャンネルについては、携帯電話機１０の電源ＯＮ時、予め初期設定で設定されている定期的なタイミング、及び携帯電話機１０の位置する管理エリアが変わったタイミングに受信動作を実行する。この受信動作により、各携帯電話機１０は、その携帯電話機１０が存在している管理エリアの位置情報（緯度、経度、住所）を常に最新の情報に更新することができる。
【００１４】
上記ＩＰネットワーク２３は、プロキシサーバ２６、ゲートウェイサーバ２７、その他図示しないＷＥＢサーバ等を有している。プロキシサーバ２６は、各携帯電話機１０と、ＩＰネットワーク２３内のサーバやインターネット上のサーバとの間の通信を中継する処理を行う。このプロキシサーバ２６は、コアネットワーク２２における通信プロトコルとＩＰネットワーク２３やインターネット３０等の他の通信ネットワークにおける通信プロトコルが異なる場合に、両通信プロトコルを合わせるためのプロトコル変換機能も有している。
なお、このＩＰネットワーク２３の中に、ＷＥＢサーバや、コンテンツをダウンロードするためのダウンロードサーバを設けてもよい。
【００１５】
上記ゲートウェイサーバ２７は、携帯電話通信網２０のＩＰネットワーク２３とインターネット３０との間のゲートウェイ機能とファイヤウォール機能とを有している。
【００１６】
上記携帯電話通信網２０のＩＰネットワーク２３を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、プログラムファイルなどのコンテンツを主に提供するダウンロードサーバ５０等がある。
【００１７】
上記インターネット３０上の各種コンテンツ提供サーバから携帯電話機１０にコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００１８】
図２は、上記ＷＥＢサーバ４０のハードウェア構成の一例を示すブロック図である。なお、上記ダウンロードサーバ５０も同様に構成することができる。このＷＥＢサーバ４０は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記インターネット用通信装置４０７は、所定の通信プロトコルにより、インターネット３０上の各種クライアント端末や他のサーバと通信したり、携帯電話通信網２０上のプロキシサーバ２６と通信したりするための装置である。
上記ＣＰＵ４０１やＲＡＭ４０２等の構成要素はお互いに、システムバス４００を介して、データやプログラムの命令等のやり取りを行っている。このＷＥＢサーバ４０を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１９】
また、上記ＷＥＢサーバ４０やダウンロードサーバ５０等のコンテンツ提供サーバは、一部又は全体を専用の制御装置として構成してもいいし、一部又は全体を汎用のコンピュータシステムを用いて構成してもよい。また、ＷＥＢサーバ４０は、１台のコンピュータで構成してもいいし、複数の機能をそれぞれ受け持つ複数台のコンピュータをネットワークで結んで構成してもよい。
【００２０】
図３は、本実施形態に係るＷＥＢサーバ４０の主要な機能を抽出して示した機能ブロック図である。なお、ダウンロードサーバ５０については、ＷＥＢサーバ４０と同様な機能を有しているため、説明を省略する。このＷＥＢサーバ４０は、情報書き込み手段４１０と位置情報送信用コンテンツ送信手段４１１と現在位置情報受信手段４１２とコンテンツ記憶手段４１３と位置関連コンテンツ送信手段４１４とを有している。このＷＥＢサーバ４０は、ＣＰＵ等からなるハードウェア上で所定のプログラムを実行することにより、情報書き込み手段４１０等の各機能を実現している。
【００２１】
上記情報書き込み手段４１０は上記ＣＰＵ等で構成され、携帯電話機１０から現在位置の情報を送信するときに用いる位置情報送信用コンテンツに含まれる送信先情報記述部に、その携帯電話機１０における位置情報取得方法（測位方法）を指定する取得方法指定情報を書き込む。
ここで、上記位置情報取得方法（測位方法）の指定は、例えば次のような観点で行われる。サーバは、携帯電話機１０に対して、その携帯電話機１０が存在する地域についての天気予報や、その携帯電話機１０が存在する地域（例えば新宿区）の店の情報を提供する場合には、その携帯電話機１０のおおまかな位置情報が得られれば十分であるので、低精度の測位方法（例えばセル単位）を指定する。一方で、サーバは、携帯電話機１０に対して、上記地域よりも狭い範囲に関する情報である携帯電話機の現在位置に関する情報を提供したり、その携帯電話機１０の現在位置から５０ｍ程度の範囲内にある自動販売機に関する情報（ピンポイントな情報）を提供する場合には、高精度の測位方法（例えばＧＰＳ測位方法）を指定する。
また、サーバは、各種の位置関連コンテンツの送信に先立って一律にＧＰＳ測位方法を指定することも考えられる。但し、ＧＰＳの測位を行うには携帯電話機１０にそれなりの処理時間をとらせるため、サーバは、ピンポイントの情報を得ようとする目的以外には、計測時間の短い測位方法、すなわち、低精度の測位方法を指定するのが好ましい。
【００２２】
上記位置情報送信用コンテンツ送信手段４１１は上記インターネット用通信装置４０７等で構成され、所定の通信プロトコルにより、上記取得方法指定情報が書き込まれた送信先情報記述部を含む位置情報送信用コンテンツを携帯電話機１０に送信する。
上記現在位置情報受信手段４１２は上記インターネット用通信装置４０７等で構成され、所定の通信プロトコルにより、上記取得方法指定情報で指定された位置情報取得方法を用いて取得した携帯電話機１０の現在位置の情報を、その携帯電話機１０から受信する。
上記コンテンツ記憶手段４１３は上記内部記憶装置や外部記憶装置で構成され、提供対象のＷＥＢページデータ等のコンテンツを記憶している。
上記位置関連コンテンツ送信手段４１４は上記インターネット用通信装置４０７やＣＰＵ等で構成され、所定の通信プロトコルにより、上記受信した携帯電話機１０の現在位置の情報に基づいて、その現在位置に関連した地図情報やタウン情報等の位置関連コンテンツを携帯電話機１０に送信する。
【００２３】
なお、本実施形態において携帯電話機１０に送信される上記位置情報送信用コンテンツは、携帯電話機１０のディスプレイに表示可能なＷＥＢページのデータである。また、この位置情報送信用コンテンツに含まれる上記送信先情報記述部は、上記現在位置の情報を送信する送信先のＵＲＬ（Uniform Resource Locator）が記述されるＵＲＬ記述部である。そして、このＵＲＬ記述部に書き込まれる上記取得方法指定情報は、上記現在位置の情報の送信処理を指定するスキーム名に対するパラメータのデータである。
このようにスキーム名に対するパラメータのデータとして取得方法指定情報を記述する場合は、位置情報取得方法の種類ごとにスキーム名を定義する必要がなく、位置情報を送信するための１種類の標準スキーム名「location」を使用するだけで済む。
【００２４】
上記送信先情報記述部は、ＷＥＢページのデータに例えば次のような記述書式１及び２で記述される。この送信先情報記述部内の「""」で囲まれている部分が位置情報送出スキームである。
（記述書式１：ａ要素のhref属性の場合）
<a href="location:[取得方法指定情報]?url=[URL]">[表示文字]</a>
（記述書式２：form要素のaction属性の場合）
<form method="get" action="location:[取得情報指定情報]?url=[URL]">
<div>
<input type="text" name="text" value="abc" />
<input type="submit" name="sub" value="Submit" />
<input type="reset" value="Reset" />
</div>
</form>
【００２５】
上記送信先情報記述部の取得方法指定情報は、現在位置の情報の送信処理を指定するスキーム名「location」に対するパラメータのデータとして書き込まれる。このパラメータのデータとしては、例えば「gps」、「cell」又は「auto」が書き込まれる。「gps」は、ＧＰＳを利用して携帯電話機１０の現在位置情報（ＧＰＳ位置情報）を取得する測位方法を指定するものである。「cell」は、位置登録サーバ６０等から携帯電話機１０の現在位置情報（セルＩＤなどのエリア位置情報）を取得する測位方法を指定するものである。「auto」は、携帯電話機１０にて優先的に実行される測位方法を指定するものである。
ここで、上記「gps」、「cell」、「auto」等の所定のデータ以外のデータが書き込まれている場合、携帯電話機１０で位置情報送信用コンテンツ（ＷＥＢページ）内のａ要素などが選択されたときにスキームエラーとしてもよい。
【００２６】
なお、上記送信先情報記述部内の「""」で囲まれている位置情報送出スキームの部分には、次に示すようにクエリ情報を追加して記述してもよい。
（クエリ情報）  &name1=value1&name2=value2・・・
ここで、name1、name2・・・はクエリー名であり、value1、value2・・・はそのクエリ名に対するクエリ値である。
【００２７】
携帯電話機１０で位置情報送信用コンテンツ（ＷＥＢページ）内の上記送信先情報記述部を含むａ要素などが選択されると、その送信先情報記述部内の取得方法指定情報で指定された所定の測位方法で携帯電話機１０の現在位置の情報を取得する。そして、この指定の測位方法で取得した現在位置の情報を付加し、上記送信先情報記述部の位置情報送出スキームにある所定のＵＲＬにＨＴＴＰリクエストを送信する。このＨＴＴＰリクエストにGET Methodを用いる場合は、ＨＴＴＰリクエストのＵＲＬの直後に位置情報を付加する。また、ＨＴＴＰリクエストにPOST Methodを用いる場合は、ＨＴＴＰリクエストのEntityの最初に付加する。
【００２８】
上記位置情報送信用コンテンツ（ＷＥＢページ）に含まれる送信先情報記述部の具体例は、次のとおりである。各送信先情報記述部が記述されていた場合における位置情報送信時のＨＴＴＰリクエスト等の具体例についても示す。
------------------------------------------------------------
（具体例１：ａ要素、クエリ無し）
<a href="location:gps?url=http://www.aaa.bbb/location.cgi">Click here!</a>
Request URL:
http://www.aaa.bbb/location.cgi?
pos=N35.39.38.91E139.44.56.89&geo=wgs84&x-acr=1
------------------------------------------------------------
（具体例２：ａ要素、クエリ有り）
<a href="location:auto?url=http://www.aaa.bbb/location.cgi
&a=1&b=2&c=3">Click here!</a>
Request URL:
http://www.aaa.bbb/location.cgi?
pos=N35.39.38.91E139.44.56.89&geo=wgs84&x-acr=1&a=1&b=2&c=3
------------------------------------------------------------
（具体例３：form要素、GET method）
<form method="get" action="location:cell?url=https://www.aaa.bbb/location.cgi">
<div>
<input type="text" name="text" value="abc" />
<input type="submit" name="sub" value="Submit" />
<input type="reset" value="Reset" />
</div>
</form>
Request URL:
https://www.aaa.bbb/location.cgi?
pos=N35.39.38.91E139.44.56.89&geo=wgs84&x-acr=1&text=abc&sub=Submit
------------------------------------------------------------
（具体例４：form要素、POST method）
<form method="post" action="location:auto?url=https://www.aaa.bbb/location.cgi">
<div>
<input type="text" name="text" value="abc" />
<input type="submit" name="sub" value="Submit" />
<input type="reset" value="Reset" />
</div>
</form>
Request URL:
https://www.aaa.bbb/location.cgi
Entity:
pos=N35.39.38.91E139.44.56.89&geo=wgs84&x-acr=1&text=abc&sub=Submit
【００２９】
図４は携帯電話機１０の一構成例を示す外観図であり、図５は、その携帯電話機１０のハードウェア構成を示す概略構成図である。また、図６は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６、ＧＰＳ受信装置１０７を備えている。ＣＰＵ１０１やＲＡＭ１０２等の構成要素は、システムバス１００を介して、互いに各種データやプログラムの命令等のやり取りを行っている。
【００３０】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザ、メーラー、音楽再生、動画表示、外部装置とのデータ送受信、アドレス帳管理、スケジューラ、メモ帳等がある。
【００３１】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３２】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。また、利用者は上記操作部を操作することにより、登録した画像ファイルを展開して表示したり、音楽ファイルを展開して再生したり、アプリケーションプログラムを選択して実行したりすることができる。また、利用者は上記操作部を操作することにより、携帯電話通信網２０の図示しない情報配信サーバから受信した情報を表示することもできる。
【００３３】
上記出力装置１０５は、表示手段である液晶ディスプレイ（ＬＣＤ）１７、スピーカ１８、図示しない振動デバイス等から構成されている。上記液晶ディスプレイ（ＬＣＤ）１７やスピーカ１８等からなる出力装置等で構成されている出力部は、携帯電話通信網２０を介して受信したＷｅｂページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。また、この出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３４】
上記出力装置１０５を構成する振動デバイスは、この振動デバイスは、マナーモード（サイレントモード）設定時などに音声電話を着信したりメールや各種配信情報を受信したりしたときに、携帯電話機１０の全体を振動させ、その着信等を利用者に知らせるように制御することができる。また、この振動デバイスは、上記ゲーム等のアプリケーションプログラムの実行中に、そのプログラム実行に関連した振動を携帯電話機１０の全体に発生させるように制御することができる。
【００３５】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、ダウンロードサーバ５０が提供するアプリケーションプログラムをダウンロードしたり、現在位置の位置情報を含む配信情報を受信したりする情報受信手段としても用いられる。
【００３６】
上記ＧＰＳ受信装置１０７は、地球の周りに配置されている複数のＧＰＳ用の人工衛星（ＧＰＳ衛星）８０から電波を受信し、その受信結果に基づいて携帯電話機１０が位置する緯度、経度及び高度のデータを算出する。ＧＰＳ受信装置１０７は例えば、電波の受信信号から目的の周波数成分を抽出するフィルター部、所定の周波数成分の受信信号からＧＰＳ信号を抽出する復調回路部、信号解読に用いるプログラムやコードデータを記憶した記憶部、各部を制御するとともにＧＰＳ信号を解読して位置情報や精度情報を求める制御・演算処理部等により構成される。
【００３７】
上記ＧＰＳ衛星８０は、地球上の約２万ｋｍの高度に位置する昇交点経度が６０度おきとなる６種類の軌道面ごとに、４個以上（合計で２４個以上）配置され、１２時間の周期で地球の周りをまわっている。この周回運動により、毎日同じ時刻に同じＧＰＳ衛星８０がやってくるようになり、地球上のどの地点からも常に最低４個以上（通常５乃至６個）のＧＰＳ衛星８０が見えるようになっており、ＧＰＳ衛星８０の位置情報は地上に５カ所ある監視局で厳密に管理されている。ＧＰＳ衛星８０にはセシウム（Ｃｓ）やルビジウム（Ｒｂ）等の原子時計（発振器）が搭載されており、正確な時刻が刻まれている。発振器の周波数は１０．２３ＭＨｚであり、クロックはそれを１／１０に分周して得ており、各衛星の時刻も正確に同期されている。
ＧＰＳ衛星８０からは１５７５．４２ＭＨｚ（Ｌ１）、１２２７．６０ＭＨｚ（Ｌ２）の２つの周波数の電波が約１ｍｓの間隔で繰り返し送信されている。この電波は、所定コードの疑似ランダム符号（Pseudo Random Noise Code）と呼ばれる乱数符号で変調されている。携帯電話機１０で受信したときは、乱数表に相当するコードを参照し、信号内容を解読する。そして、そのコードと携帯電話機１０の時計部から出力される時刻データとに基づいて、ＧＰＳ衛星８０から電波発射された時刻と携帯電話機１０で受信した時刻との信号の時間差を計測する。そして、この時間差に電波の伝播速度を掛ければ、ＧＰＳ衛星８０から携帯電話機１０までの距離（＝伝播速度×時間差）がわかる。また、ＧＰＳ衛星８０からは、軌道の正確な情報が送られてくるので、ＧＰＳ衛星の現在位置を正確に知ることができる。従って、ＧＰＳ衛星８０からの距離が分かれば、携帯電話機１０はＧＰＳ衛星８０を中心として求めた距離を半径とする球面上のどこかにいることが分かる。二つのＧＰＳ衛星８０からの電波を受信できれば、二つの球面が求まり、携帯電話機１０の位置は二つの球が交わる円周上のどこかになる。三つのＧＰＳ衛星８０からの電波を受信できる場合は、三つの球面が交わる２点のうちの何れか一方の位置が携帯電話機１０の位置である。２点のうち一方は、予測できる位置からかけ離れているので捨て去ることができるので、原理的には一点が決定される。
ところが、実際には計算された答え（三つの面の交点）は、測定誤差によって２点にならない。この測定誤差の多くは、携帯電話機１０に搭載された時計の精度にある。ＧＰＳ衛星８０の時計は原子時計であるが、携帯電話機１０に搭載された時計の精度は原子時計に比べてはるかに劣る。このため、時間差の計算値に大きな誤差を生じてしまう。
そこで、ＧＰＳではＧＰＳ衛星をもう一つ、つまり４つ目のＧＰＳ衛星からの電波を受信する。これは次のように考えることができる。すなわち、３つのＧＰＳ衛星の情報（方程式）からＸＹＺの三つの未知数を求めようとしたときに受信側の携帯電話機１０内の時計の誤差分という別の未知数があるために計算ができなかったのを、新たな情報（方程式）を導入することで解決する、という考え方である。４つのＧＰＳ衛星からの電波を受信することにより、ＧＰＳでは一点に収束するほぼ正確な位置を求めることができる。また、残された誤差は、ＧＰＳ衛星からの情報内容に含まれるものと、電波がＧＰＳ衛星から携帯電話機１０に到達するまでの大気の擾乱などによる誤差である。前者のＧＰＳ衛星からの情報については、当初、Ｓ／Ａ（Selective Availability）という民間利用向けには敢えて誤差を付加する操作が行われていたが、２０００年５月に解除され、現在では誰もが誤差の少ない情報を入手できる。また、ＧＰＳ衛星からは、後者の電離層による遅延量の補正のためのデータも送られてくるほか、受信側の携帯電話機１０で二つの周波数の電波を受信することで補正することができる。電離層による電波伝搬遅延量は周波数に反比例することがわかっているためである。
上記ＧＰＳ受信装置１３０は、このように補正された携帯電話機の位置情報（緯度、経度、高度）のデータを算出して出力する。
【００３８】
上記ＧＰＳ位置情報の精度情報であるＧＰＳ測位精度は、「ＤＯＰ（Dilution of Presision）」や「2drms」等で表現することができる。
上記ＤＯＰは「精度低下率」とも呼ばれ、ＧＰＳ測位精度の劣化の指標となる数値である。このＤＯＰの値が小さいほど精度が高いことを意味する。前述のように、ＧＰＳ測位は通常４個以上のＧＰＳ衛星を使って行われるが、そのときのＧＰＳ衛星の配置状態によって測位精度が大きく左右される。このＧＰＳ衛星の配置状態によってＤＯＰの値が決定される。例えば、ＧＰＳ衛星が均等にばらけて位置していれば、上記ＤＯＰの値は小さくなってＧＰＳ測位精度は高くなり、逆にＧＰＳ衛星が一箇所に偏って位置していれば、上記ＤＯＰの値が大きくなってＧＰＳ測位精度は低くなる。
【００３９】
上記2drms（2×distance root mean square）の場合は、その値が小さいほど高精度を意味する。ＧＰＳ受信機を一つの決まった場所に設置して連続して測位するとき、ランダムな測距誤差が入ることで、測位点は１つに定まらない。このランダム誤差にＨＤＯＰの２倍を掛け合わせたものが2drmsである。ここで、真の測位点を中心とした半径2drmsの円内に、散らばった全ての測位点の約９５％が入るといわれている。
【００４０】
なお、これまでに述べたＧＰＳの位置測定法は、一台のＧＰＳ受信機（携帯電話機）だけで独立して位置を求める「単独測位」と呼ばれるものである。測定精度をさらに高めるために、測定点とは別の位置にある外部受信装置で補正値を計算してそのデータを基に実際の測定値を補正するようにしてもよい。この補正法は、単独測位に対して「相対測位（Ｄ−ＧＰＳ）」などと呼ばれている。具体的な補正の方法としては、ＧＰＳ衛星からの搬送波の位相を求めるなど様々な方法がある。「単独測位」の精度は１０ｍ内外であるが、「相対測位（Ｄ−ＧＰＳ）」による補正をすれば、最高では１ｃｍ程度の精度まで高めることができる。
【００４１】
図７は、本実施形態に係る携帯電話機１０の主要な機能を抽出して示した機能ブロック図である。この携帯電話機１０は、位置情報送信用コンテンツ受信手段１１０と情報読み出し手段１１１と現在位置情報取得手段１１２と現在位置情報送信手段１１３と位置関連コンテンツ受信手段１１４とを有している。
上記位置情報送信用コンテンツ受信手段１１０は上記携帯電話通信網用通信装置１０６等で構成され、ＨＴＴＰ等の所定の通信プロトコルを用いた通信により、現在位置の情報を送信するときに用いる位置情報送信用コンテンツを、ＷＥＢサーバ４０から受信する。
上記情報読み出し手段１１１は上記ＣＰＵ１０１等で構成され、当該携帯電話機１０における位置情報取得方法を指定する取得方法指定情報を、上記位置情報送信用コンテンツに含まれる送信先情報記述部から読み出す。
上記現在位置情報取得手段１１２は上記ＣＰＵ１０１、携帯電話通信網用通信装置１０６、ＧＰＳ受信装置１０７等で構成され、、上記送信先情報記述部から読み出した取得方法指定情報で指定された位置情報取得方法を用いて、携帯電話機１０の現在位置の情報を取得する。
上記現在位置情報送信手段１１３は上記携帯電話通信網用通信装置１０６等で構成され、ＨＴＴＰ等の所定の通信プロトコルを用いた通信により、上記指定の位置情報取得方法で取得した携帯電話機１０の現在位置の情報を、ＷＥＢサーバ４０に送信する。
上記位置関連コンテンツ受信手段１１４は上記携帯電話通信網用通信装置１０６等で構成され、ＨＴＴＰ等の所定の通信プロトコルを用いた通信により、上記現在位置の情報に基づいてＷＥＢサーバ４０から送信された現在位置に関連した地図情報やタウン情報等の位置関連コンテンツを、ＷＥＢサーバ４０から受信する。
【００４２】
図８は、上記構成の携帯電話機１０でブラウザのアプリケーションを起動し、位置情報送信用コンテンツ（ＷＥＢページ）を介して現在位置の情報をＷＥＢサーバ４０に送信し、位置関連コンテンツを受信するときの手順の一例を示すシーケンス図である。なお、この図８の例では、測位方法（位置情報取得方法）として、ＧＰＳを用いた測位方法を指定する場合について示している。
まず、利用者は、携帯電話機１０を操作してブラウザのアプリケーションを起動する（ステップＳ１）。
次に、利用者は、現在位置に関連した地図情報等の位置関連コンテンツをダウンロード可能な位置情報送信用コンテンツのＷＥＢページがアップロードされているＷＥＢサーバ４０のＵＲＬ（Uniform Resource Locator）を指定する所定のキー操作を行う。携帯電話機１０は、このキー操作を受付けると、上記所定のＷＥＢサーバ４０のＵＲＬに対してＨＴＴＰ要求を送信する（ステップＳ２）。
【００４３】
次に、ＷＥＢサーバ４０は、上記ＨＴＴＰ要求を受信すると、位置情報送信用コンテンツのＷＥＢページの送信先情報記述部であるＵＲＬ記述部に、スキーム名「location」に対するパラメータのデータとして、ＧＰＳによる測位方法を指定する取得方法指定情報「gps」を書き込む（ステップＳ３）。ＷＥＢサーバ４０は、この取得方法指定情報「gps」が書き込まれたＵＲＬ記述部を含む位置情報送信用コンテンツのＷＥＢページのデータを、ＨＴＴＰ応答として携帯電話機１０に送信する（ステップＳ４）。
【００４４】
次に、携帯電話機１０は、上記ＨＴＴＰ応答を受信すると、上記位置情報送信用コンテンツのＷＥＢページをディスプレイに表示する（ステップＳ５）。この表示を見た利用者は、上記位置情報送信用のＵＲＬ記述部が設定されている部分を選択するキー操作を行う（ステップＳ６）。このキー操作を受付けた携帯電話機１０は、ＷＥＢサーバ４０で指定された測位方法を認識し、その測位方法により現在位置の取得処理を実行する。本例の場合、ＷＥＢサーバ４０で指定された測位方法がＧＰＳによる測位方法であるので、携帯電話機１０は、上記位置情報取得手段を構成するＧＰＳ受信装置１０７による現在位置の取得処理を実行し、取得した現在位置の情報を含むＨＴＴＰ要求をＷＥＢサーバ４０に送信する（ステップＳ７、Ｓ８）。
【００４５】
次に、ＷＥＢサーバ４０は、ＨＴＴＰ要求に含まれている携帯電話機１０の現在位置の情報を読み出し、その現在位置情報に対応した地図情報などの位置関連コンテンツをコンテンツデータベースから抽出したり作成したりする（ステップＳ９）。このとき、ＷＥＢサーバ４０は、現在位置情報に対応した地図情報を作成等する際には、携帯電話機１０によって採用された測位方法も考慮して地図情報の作成等を行っている。具体的には、例えば、サーバは、携帯電話機１０に対して高精度な測位方法（例えばＧＰＳ測位方法)を指定していたのであれば、縮尺の大きな地図情報すなわち詳細な地図情報を作成する。一方、サーバは、携帯電話機１０に対して低精度な測位方法（例えばセルＩＤなどのエリア位置情報）を指定していたのであれば、縮尺の小さな地図情報すなわち大まかな地図情報を作成する。このように携帯電話機１０によって採用された測位方法も考慮して地図情報の作成等を行った場合は、携帯電話機１０は、実際にその携帯電話機が現在存在している位置とは関係のない地図情報等を受け取るということもなく、また、実際にその携帯電話機が現在存在している位置をカバーした地図情報等ではあっても大雑把すぎる（範囲が広すぎる）地図情報等を受け取るということがなくなる。
【００４６】
次に、ＷＥＢサーバ４０は、上記位置関連コンテンツのデータをＨＴＴＰ応答として携帯電話機１０に送信する（ステップＳ１０）。
携帯電話機１０は、上記ＨＴＴＰ応答を受信すると、上記位置関連コンテンツをディスプレイに表示する（ステップＳ１１）。
【００４７】
以上、本実施形態によれば、インターネット３０上のＷＥＢサーバ４０が位置情報送信用コンテンツ（ＷＥＢページ）の送信先情報記述部（ＵＲＬ記述部）に取得方法指定情報を書き込むことにより、ＷＥＢサーバ４０は、携帯電話機１０における位置情報取得方法を指定することができる。
しかも、ＷＥＢサーバ４０は、位置精度が予めわかっている上記指定の位置情報取得方法で取得した携帯電話機１０の現在位置の情報を受信できるので、その現在位置の位置精度との整合がとれた内容の地図情報等の位置関連コンテンツを携帯電話機１０に送信して提供できる。
【００４８】
なお、上記実施形態では、上記取得方法指定情報を、上記現在位置の情報の送信処理を指定するスキーム名（location）に対するパラメータのデータとして記述しているが、上記取得方法指定情報としてスキーム名そのものを用いてもよい。例えば、次のように現在位置の取得方法ごとに異なるスキーム名を用いてもよい。
（ＧＰＳ位置情報を取得する測位方法を指定する場合）
<a ref="locationgps?url=[URL]">[表示文字]</a>
（セルＩＤなどのエリア位置情報を取得する測位方法を指定する場合）
<a ref="locationcell?url=[URL]">[表示文字]</a>
（携帯電話機１０にて優先的に実行される測位方法を指定する場合）
<a ref="locationauto?url=[URL]">[表示文字]</a>
このように現在位置の取得方法ごとに異なるスキーム名を用いる場合、携帯電話機１０は、位置情報送信用コンテンツに含まれる送信先情報記述部（ＵＲＬ記述部）のスキーム名に基づいて現在位置の位置情報取得方法を判断する。そして、携帯電話機１０は、そのスキーム名で指定された位置情報取得方法を用いて現在位置の情報を取得する。
【図面の簡単な説明】
【００４９】
【図１】本発明の実施形態に係る通信システム全体の概略構成の一例を示す説明図。
【図２】ＷＥＢサーバのハードウェア構成の一例を示すブロック図。
【図３】ＷＥＢサーバの主要な機能を抽出して示した機能ブロック図。
【図４】携帯電話機の一構成例を示す外観図。
【図５】携帯電話機のハードウェア構成を示す概略構成図。
【図６】携帯電話機におけるソフトウェア構造の説明図。
【図７】携帯電話機の主要な機能を抽出して示した機能ブロック図。
【図８】携帯電話機でブラウザのアプリケーションを起動し、位置情報送信用コンテンツを介して現在位置の情報をＷＥＢサーバに送信し、位置関連コンテンツを受信するときの手順の一例を示すシーケンス図。
【符号の説明】
【００５０】
１０    携帯電話機
２０    携帯電話通信網
３０    インターネット
４０    ＷＥＢサーバ
５０    ダウンロードサーバ
６０    位置登録サーバ
７０    情報提供（配信）サーバ
８０    ＧＰＳ衛星
【図１】
2006155508.tif 000003
【図２】
2006155508.tif 000004
【図３】
2006155508.tif 000005
【図４】
2006155508.tif 000006
【図５】
2006155508.tif 000007
【図６】
2006155508.tif 000008
【図７】
2006155508.tif 000009
【図８】
2006155508.tif 000010